(57)【要約】【課題】  簡単に薬液ビンの口頸部に取付可能で、素早く容器に移しかえることができ、使用後に液体が残った場合でも口頸部を封止できる薬液注入ノズルを提供する。【解決手段】  薬液注入ノズルＡは、薬液ビン２の口頸部３に下端のシール部２０が挿入される注入ノズル１と、注入ノズル１に挿通される孔１６を有しその孔１６に挿通された注入ノズル１に嵌着することで一体化して口頸部３に装着される筒状キャップ５と、筒状キャップ５に螺着することで注入ノズル１を蓋う保護キャップ４とを備えている。また、注入ノズル１には切欠き部１３が設けられている。更に、シール部２０にシールリング２１が嵌め込まれていることと、筒状キャップ５と口頸部３との間に板パッキン１８が設けられていることとにより二重のシールが形成されている。更に保護キャップ４には、筒状キャップ５と螺着した状態において、注入ノズル１を封止する封止突起部Ｔが設けられている。【選択図】  図３
2005137491.tif 000002
【特許請求の範囲】
【請求項１】
下端のシール部が薬液ビンの口頸部の内側に挿入され、前記シール部よりも上側のノズル部が前記口頸部から突出した状態に設けられる注入ノズルと、
前記口頸部の外周に装着される筒状部、及び該筒状部の端に設けられ、前記注入ノズルが挿通される孔を有した蓋板部からなると共に、該蓋板部における前記孔の外周部が当該孔に挿通された前記注入ノズルの外周に設けられている嵌着部に嵌着することにより前記注入ノズルと一体化され、更に、前記筒状部が前記口頸部の外周に装着されることにより前記注入ノズルを前記状態に保持する筒状キャップと、
該筒状キャップの外周と接合することにより前記注入ノズルを蓋う保護キャップと、
を備えた薬液注入ノズルであって、
前記シール部に１個以上のシールリングが嵌め込まれていることと、前記蓋板部の前記口頸部側の面と前記口頸部の端面との間に板パッキンが設けられていることとにより、前記薬液ビン内の液体が前記ノズル部以外から漏れることを防ぐための二重のシールが形成され、
更に、前記保護キャップには、当該保護キャップが前記筒状キャップの外周と接合した装着状態において、前記注入ノズルのノズル部に挿通されて該ノズル部を封止する封止突起部が設けられていること、
を特徴とする薬液注入ノズル。
【請求項２】
請求項１に記載の薬液注入ノズルにおいて、
前記ノズル部には、注入側の先端から前記嵌着部に向かって縦の切欠き部が設けられていること、
を特徴とする薬液注入ノズル。
【請求項３】
請求項１又は請求項２に記載の薬液注入ノズルにおいて、
前記ノズル部の少なくとも一部は、屈曲可能な蛇腹状であること、
を特徴とする薬液注入ノズル。
【請求項４】
請求項１ないし請求項３の何れか１項に記載の薬液注入ノズルにおいて、
前記保護キャップと前記筒状キャップとの接合部を、ネジにより接合可能としたこと、
を特徴とする薬液注入ノズル。
【請求項５】
請求項１ないし請求項３の何れか１項に記載の薬液注入ノズルにおいて、
前記保護キャップと前記筒状キャップとの接合部を、ワンタッチのシールリングにより接合可能としたこと、
を特徴とする薬液注入ノズル。
【発明の詳細な説明】
【技術分野】
【０００１】
本発明は、麻酔液や医薬液などの薬液ビンの口頸部に取付けられる薬液注入ノズルに関する。
【背景技術】
【０００２】
従来、一般に使用されている麻酔液や医薬液などの薬液ビンは輸送梱包の関係により、薬液ビンの口頸部は密閉栓で気密・封印されており、麻酔器の容器に移し替える場合において、封印を開封し、容器の注入口へ薬液ビンの口頸部を触接させ、薬液が溢れることに注意しながら作業が行われていた。
【０００３】
その結果、注入作業者はゆっくりと慎重に作業を実施しても、液だれし易く、麻酔液が空気中に気化する危惧が発生し、手術室内でその作業を行えば気化ガスが充満する恐れがあった。
【０００４】
このため、本願出願人は、先に出願した特許文献１において、薬液ビンの口頸部に取付けることができる薬液注入ノズルを提案した。しかしながら、まだ改良する余地があった。
【特許文献１】特願２００２−２６８０９９号
【発明の開示】
【発明が解決しようとする課題】
【０００５】
そこで本発明は、簡単に薬液ビンの口頸部に取付けることができ、素早く容器に移し替えることができ、薬液ビン内に液体が残った場合に薬液ビンの口頸部を封止することができる薬液注入ノズルを提供することを目的とする。
【課題を解決するための手段】
【０００６】
上記課題を解決するためになされた請求項１に記載の薬液注入ノズルは、下端のシール部が薬液ビンの口頸部の内側に挿入され、シール部よりも上側のノズル部が口頸部から突出した状態に設けられる注入ノズルと、口頸部の外周に装着される筒状部、及び該筒状部の端に設けられ、注入ノズルが挿通される孔を有した蓋板部からなると共に、該蓋板部における孔の外周部が当該孔に挿通された注入ノズルの外周に設けられている嵌着部に嵌着することにより注入ノズルと一体化され、更に、筒状部が口頸部の外周に装着されることにより注入ノズルを上記状態に保持する筒状キャップと、該筒状キャップの外周と接合することにより注入ノズルを蓋う保護キャップとを備えている。
【０００７】
そして、当該薬液注入ノズルでは、シール部に１個以上のシールリングが嵌め込まれていることと、蓋板部の口頸部側の面と口頸部の端面との間に板パッキンが設けられていることとにより、薬液ビン内の液体がノズル部以外から漏れることを防ぐための二重のシールが形成されている。
【０００８】
そして更に、保護キャップには、当該保護キャップが筒状キャップの外周と接合した装着状態において、注入ノズルのノズル部に挿通されて該ノズル部を封止する封止突起部が設けられている。
【０００９】
このような請求項１の薬液注入ノズルによれば、注入ノズルのシール部を薬液ビンの口頸部に差し込みつつ、筒状キャップを薬液ビンの口頸部の外周に装着するだけで簡単に取付けることができる。
【００１０】
そして、注入ノズル及び筒状キャップが口頸部に取付けられた状態では、シールリングと板パッキンとの二重のシールにより薬液ビン内の液体がノズル部以外から漏れないこととなるので、液体を容器に移し替える作業中でもノズル部以外から漏れる心配はない。よって、ノズル部以外からの漏れを気にしなくても良いこととなるので、注入ノズルから薬液ビン内の液体を容器に素早く移し替えることができる。また、保護キャップを装着した状態では、封止突起部がノズル部を封止することとなるため、この保護キャップの装着状態で薬液ビンを倒したり傾けたりしても、薬液ビン内に残っている液体がノズル部から漏れることはない。よって、薬液ビン内に液体が残った場合には、保護キャップを筒状キャップに取付けることで、薬液ビンの口頸部を完全に封止することができる。
【００１１】
また、本薬液注入ノズルでは、注入ノズルを筒状キャップから取り外すことができるが、嵌着部が筒状キャップの孔の外周部に嵌着されているため、注入ノズルが筒状キャップから簡単に外れることはない。
【００１２】
一方、注入ノズルを筒状キャップから取り外すことが可能であることにより、ステンレス製のノズルや各種形状のノズルに変更することができる。このため、薬液ビンの種別管理をすることができ、利便性を向上させることができる。
【００１３】
ところで、請求項１の薬液注入ノズルにおいて、請求項２に記載の如く、ノズル部に、注入側の先端から嵌着部に向かって縦の切欠き部が設けられていれば、薬液ビン内の液体を容器に移し替える際に、その液体をスムーズに流すことができることとなるので、液体の移し替え作業を容易に素早く実施することができる。
【００１４】
また、請求項１又は請求項２の薬液注入ノズルにおいて、請求項３に記載の如く、ノズル部の少なくとも一部が屈曲可能な蛇腹状であれば、ノズル部の注入側の先端の向きを自由に変えることができる。即ち、液体を容器に移し替える場合には、ノズル部を屈曲させ、薬液ビンを持ち上げて傾斜させると共に、ノズル部の注入側の先端を容器の注入口へ差込むことにより、液体の移し替え作業を行うことができる。このため、液体の流れを調節することができることとなり、液体の移し替え作業を素早く且つ正確に実施することができる。
【００１５】
次に、請求項４に記載の薬液注入ノズルでは、請求項１〜３の何れかの薬液注入ノズルにおいて、保護キャップと筒状キャップとの接合部を、ネジにより接合可能としている。
この構成によれば、筒状キャップの外周に保護キャップを螺着することにより、薬液ビンの気密性を保持することができるので、薬液ビン内の液体を長時間保管することができる。また、保護キャップを持って薬液ビンを運んでも、保護キャップが筒状キャップから外れて薬液ビンが割れてしまうことはない。
【００１６】
また、保護キャップと筒状キャップとの接合部は、請求項５に記載のように、ワンタッチのシールリングにより接合可能であっても良い。このように構成すれば、保護キャップの着脱作業を敏速に行うことができる。
【発明を実施するための最良の形態】
【００１７】
以下に、本発明が適用された実施形態の薬液注入ノズルについて、図面を用い説明する。
【実施例１】
【００１８】
第１実施例の薬液注入ノズルＡについて説明する。
まず、図１は、薬液注入ノズルＡを表す外観斜視図であり、薬液ビン２の口頸部３に取付けられた状態を表している。尚、この状態は、例えば、薬液ビン２内の液体（例えば、麻酔液）を、薬液ビン２から気化器等の容器に移し替える場合や薬液ビン２内に残った液体を保管する場合において、妄りに液体が気化したり気化ガスが放出することを防ぐ状態である。また、図２は、薬液注入ノズルＡを表す構成図であり、図２（ａ）は、その内部構成を表す内部構成図で、図２（ｂ）は、同薬液注入ノズルＡの保護キャップ４を表す構成図である。そして、図３は、薬液注入ノズルＡの内部構成を平面的に表す内部構成図であり、図３（ａ）は、その正面図で、図３（ｂ）は、図３（ａ）のＺ−Ｚにおける断面図である。また、図４は、薬液注入ノズルＡを組立てる手順を説明する説明図であり、図４（ａ）は、薬液注入ノズルＡの注入ノズル１を組立てる状態を示し、図４（ｂ）は、薬液注入ノズルＡの筒状キャップ５に注入ノズル１を取付ける状態を示している。
【００１９】
図１〜図４に示すように、第１実施例の薬液注入ノズルＡは、下端のシール部２０が薬液ビン２の口頸部３の内側に挿入され、シール部２０よりも上側のノズル部Ｎが口頸部３から突出した状態に設けられる注入ノズル１と、口頸部３の外周に装着される筒状の筒状部２５ａ、及び筒状部２５ａの端に設けられ、注入ノズル１に挿通される孔１６を有した円板状の蓋板部２５ｂからなると共に、蓋板部２５ｂにおける孔１６の外周部１７が孔１６に挿通された注入ノズル１の外周に設けられている嵌着部１９に嵌着することにより注入ノズル１と一体化され、更に、筒状部２５ａが口頸部３の外周に装着されることにより注入ノズル１を上記状態に保持する筒状キャップ５と、筒状キャップ５の外周と接合することにより注入ノズル１を蓋う保護キャップ４とを備えている。
【００２０】
次に、注入ノズル１の構成について詳しく説明する。
注入ノズル１は、合成樹脂からなり、図２〜図４に示すように、筒状のノズル部Ｎと、薬液ビン２の口頸部３の内径より若干小さい筒状のシール部２０とから構成されている。
【００２１】
ここで、ノズル部Ｎの外周面には、その外周面よりも突出したリング状の突起１５が設けられている。そして、この突起１５とシール部２０との間の部分（即ち、ノズル部Ｎのシール部２０側の端部）が、嵌着部１９である。
【００２２】
また、ノズル部Ｎには、注入ノズル１の注入側の先端９から突起１５の上側１０まで縦の切欠き部１３が設けられており、その切欠き部１３の先側１４は扇状となっている。
一方、シール部２０の外周面には、図３（ｂ）に示すように、その外周面よりも凹んだリング状のリング溝２２が２つ設けられている。そして、そのリング溝２２には、リング状のシールリング２１がそれぞれ取付けられている。
【００２３】
続いて、筒状キャップ５の構成について詳しく説明する。
筒状キャップ５は合成樹脂からなり、図２〜図４に示すように、筒状キャップ５の筒状部２５ａの外周面には、後述する保護キャップ４のネジ部１１に螺戻・螺着可能なネジ部１２が設けられ、内周面には、薬液ビン２の口頸部３の外周に螺着可能なネジ部８が設けられている。
【００２４】
また、蓋板部２５ｂの孔１６は円状であって、その大きさはノズル部Ｎの外周以上で且つ突起１５及びシール部２０の外周よりも小さい。
次に、保護キャップ４の構成について詳しく説明する。
【００２５】
保護キャップ４は、合成樹脂からなり、図２（ｂ）に示すように、筒状の筒状部７と、筒状部７の一方の端に設けられた円板状の蓋板部６と、蓋板部６の内側の面の中心に設けられた円柱状の封止突起部Ｔとから構成されている。
【００２６】
そして、図２，図３に示すように、保護キャップ４の開放側の内面には、筒状キャップ５のネジ部１２に螺戻・螺着可能なネジ部１１が設けられている。
また、図３（ｂ）に示すように、保護キャップ４が筒状キャップ５のネジ部１２に螺着した状態になると、封止突起部Ｔがノズル部Ｎに挿通されてノズル部Ｎを封止することとなり、薬液ビン２内の液体がノズル部Ｎから外部へ漏れない状態となる。尚、図２（ｂ）及び図３（ｂ）以外の図面においては、封止突起部Ｔの記載は省略する。
【００２７】
次に、以上のような構成の薬液注入ノズルＡを組立てる手順について、図４を用い説明する。
まず、図４（ａ）に示すように、注入ノズル１の２つのリング溝２２にシールリング２１をそれぞれ嵌め込む。
【００２８】
次いで、図４（ｂ）に示すように、注入ノズル１のノズル部Ｎを、筒状キャップ５の筒状部２５ａの蓋板部２５ｂ側とは反対側から蓋板部２５ｂの孔１６に挿入する。尚、蓋板部２５ｂの筒状部２５ａ側の面上には、図３（ｂ）に示すように、筒状キャップ５の孔１６よりも大きい孔を有したリング状の板パッキン１８が予め敷かれている。
【００２９】
そして、筒状キャップ５の孔１６と板パッキン１８の孔とを挿通した状態のノズル部Ｎを、更に奥（シール部２０側）の方まで挿入すると、ノズル部Ｎの突起１５が蓋板部２５ｂの筒状部２５ａ側の面に達したところで、注入ノズル１は筒状キャップ５の孔１６を通らなくなるが、ここで筒状キャップ５には若干弾性があるため、注入ノズル１を更に同じ方向に押し込むと、筒状キャップ５の蓋板部２５ｂが注入ノズル１に押し込まれた方向にたわみつつ孔１６の径が拡がり、これにより、注入ノズル１を更に奥の方へ通すことができる。
【００３０】
そして、注入ノズル１の突起１５が筒状キャップ５の孔１６を通過すると、蓋板部２５ｂが元の形状に戻ることとなり、筒状キャップ５の孔１６の外周部１７が嵌着部１９に嵌着する。このようにして、薬液注入ノズルＡを組立てることができる。
【００３１】
また、このようにして注入ノズル１と一体化した筒状キャップ５は、筒状キャップ５の孔１６の外周部１７が注入ノズル１の突起１５に引っ掛かるので、注入ノズル１から容易に外れることはない。
【００３２】
次に、上述したように組立てられた薬液注入ノズルＡを薬液ビン２の口頸部３に取付ける手順について、図６を用い説明する。
まず、図６に示すように、注入ノズル１と一体化した筒状キャップ５を、注入ノズル１のシール部２０を薬液ビン２の口頸部３に挿入しつつ、薬液ビン２の口頸部３の外周に螺着する。これにより、筒状キャップ５は、注入ノズル１のシール部２０が薬液ビン２の口頸部３の内側に挿入され、ノズル部Ｎが口頸部３の外側に露出した状態で、注入ノズル１を保持することとなる。
【００３３】
このとき、このシール部２０に２つのシールリング２１が嵌め込まれていることと、蓋板部２５ｂの口頸部３側の面と口頸部３の端面との間に板パッキン１８が設けられていることとにより、薬液ビン２内の液体がノズル部Ｎ以外から漏れることを防ぐための二重のシールが形成される（図３（ｂ）参照）。
【００３４】
そして更に、保護キャップ４の封止突起部Ｔをノズル部Ｎに挿通すると共に、保護キャップ４を筒状キャップ５のネジ部１２に螺着することにより図１の状態となる。
尚、図３（ｂ）に示すように、薬液ビン２の口頸部３の内側には、口頸部３の内径より若干小さくした堰２４が設けられているため、仮に注入ノズル１が筒状キャップ５から外れてしまったとしても、注入ノズル１のシール部２０側の先端（下端）２３は、堰２４よりも口頸部３の中へ入り込むことはない。
【００３５】
次に、薬液注入ノズルＡが取付けられた薬液ビン２内に入っている液体を容器に移し替える手順について、図８を用い説明する。
まず、薬液注入ノズルＡの保護キャップ４を外す。
【００３６】
そして、図８に示すように、薬液ビン２を持ち上げて傾斜させ、更に、麻酔器に取付けられた気化器３２の注入口３３へ注入ノズル１の先端９を触接させることにより薬液ビン２内の液体（例えば、麻酔液）２７を移し替えることができる。このとき、切欠き部１３を上に向けることで麻酔液２７をスムーズに流すことができることとなるので、麻酔液２７の移し替え作業を素早く実施することができる。
【００３７】
以上のような薬液注入ノズルＡによれば、注入ノズル１のシール部２０を差し込みつつ、筒状キャップ５を薬液ビン２の口頸部３の外周に螺着するだけで簡単に取付けることができる。
【００３８】
そして、図３（ｂ）に示すように、シールリング２１と板パッキン１８との二重のシールにより薬液ビン２内の液体がノズル部Ｎ以外から漏れないこととなるので、上述した移し替え作業をしている場合でもノズル部Ｎ以外から漏れる心配はない。よって、ノズル部Ｎ以外からの漏れを気にしなくても良いこととなるので、注入ノズル１から薬液ビン２内の液体を容器に素早く移し替えることができる。また、保護キャップ４が筒状キャップ５のネジ部１２に螺着した状態では、封止突起部Ｔがノズル部Ｎを封止することとなるため、この状態で薬液ビン２を倒したり傾けたりしても、薬液ビン２内に残っている液体がノズル部Ｎから漏れることはない。よって、薬液ビン２内に液体が残った場合には、保護キャップ４を筒状キャップ５のネジ部１２に螺着することで、薬液ビン２の口頸部３を完全に封止することができる。
【００３９】
また更に、筒状キャップ５のネジ部１２に保護キャップ４を螺着することにより、薬液ビン２の気密性を保持することができるので、薬液ビン２内の液体を長時間保管することができる。また、保護キャップ４を持って薬液ビン２を運んでも、保護キャップ４が筒状キャップ５から外れて薬液ビン２が割れてしまうことはない。
【００４０】
尚、注入ノズル１のみ材質を軟質系の合成樹脂製にすることにより薬液ビン２を自由な方向に傾斜させて液体の移し替え作業を実施することができる。また、注入ノズル１のみ色彩を変えて製造・組付することにより薬液ビン２の種別管理をすることができる。
【００４１】
一方、薬液注入ノズルＡは、医薬用として選定された材質であれば何でも良く、例えば、ステンレス製のものでも構わない。また、シール材としてフッソゴムやシリコンゴムを使用しても構わない。
【実施例２】
【００４２】
次に、第２実施例の薬液注入ノズルＡについて、図５を用い説明する。尚、図５において、前述した図面と同じものについては、同一の符号を付しているため、説明は省略する。また、本第２実施例の薬液注入ノズルＡについても、符号として「Ａ」を用いる。また、このことは、後述する第３実施例についても同様である。
【００４３】
本第２実施例の薬液注入ノズルＡは、第１実施例の薬液注入ノズルＡと比較すると、下記の（１）及び（２）の点が異なっている。
（１）本第２実施例の薬液注入ノズルＡの内部構成を表す図５（ａ）及び本第２実施例の保護キャップ４ａを筒状キャップ５ａに取付ける状態を説明する説明図である図５（ｂ）に示すように、第１実施例の保護キャップ４に代わって、保護キャップ４ａが用いられている。そして、保護キャップ４ａでは、筒状部７ａの開放側の内面にその内面よりも凹んだリング状の凹み溝３０が設けられている。
【００４４】
（２）また、第１実施例の筒状キャップ５に代わって、筒状キャップ５ａが用いられている。そして、筒状キャップ５ａの外周面には、その外周面よりも凹んだリング状のリング溝２６が設けられている。そして更に、そのリング溝２６には、シールリング２８が取付けられている。
【００４５】
これによれば、保護キャップ４ａの凹み溝３０がシールリング２８に嵌め込まれるだけで保護キャップ４ａを筒状キャップ５ａに取付けることができる。このため、ワンタッチで保護キャップ４ａを着脱することができることとなるので、保護キャップ４ａの着脱作業を敏速に行うことができる。
【００４６】
また、第２実施例の変形例として、図５（ａ）の括弧内の符号及び図５（ｃ）に示すように、保護キャップ４ｂの筒状部７ｂにシールリング２９を取付け、筒状キャップ５ｂに凹み溝３０ａを設備することも可能である。
【実施例３】
【００４７】
次に、第３実施例の薬液注入ノズルＡについて、図７を用い説明する。尚、図７（ａ）は、本第３実施例の注入ノズル１ａの構成図であり、図７（ｂ）は、本第３実施例の注入ノズル１ａの作用を説明する説明図である。
【００４８】
図７（ａ）に示すように、本第３実施例の薬液注入ノズルＡでは、第１実施例の注入ノズル１に代わって、ノズル部Ｎａが筒状の蛇腹である注入ノズル１ａを備えている。このため、ノズル部Ｎａの先端３１は、図７（ｂ）に示すように、自由に向きを変えることができる。即ち、液体を容器に移し替える場合には、ノズル部Ｎａを屈曲させ、薬液ビン２を持ち上げて傾斜させると共に、ノズル部Ｎａの先端３１を容器の注入口へ差込むことにより、液体の移し替え作業を行うことができる。このため、液体の流れを調節することができることとなり、液体の移し替え作業を素早く且つ正確に実施することができる。尚、ノズル部Ｎａに切欠きを設けることも可能である。
【００４９】
以上、本発明の実施例について説明したが、本発明は、種々の形態を採り得ることは言うまでもない。
上記各実施例の薬液注入ノズルＡでは、シール部２０と突起１５との間の部分（嵌着部１９）に筒状キャップ５の孔１６の外周部１７を嵌着したが、例えば、突起１５を設ける代わりに、ノズル部Ｎの外周面にその外周面を凹ませた凹部を設け、そこに筒状キャップ５の孔１６の外周部１７を嵌着するようにしても良い。このとき、その凹部が嵌着部となる。
【図面の簡単な説明】
【００５０】
【図１】第１実施例の薬液注入ノズルの外観斜視図である。
【図２】同薬液注入ノズルを表す構成図である。
【図３】同薬液注入ノズルの内部構成を平面的に表す内部構成図である。
【図４】同薬液注入ノズルを組立てる手順を説明する説明図である。
【図５】第２実施例及びその変形例の薬液注入ノズルを説明する説明図である。
【図６】第１実施例の薬液注入ノズルを薬液ビンに取付ける手順を説明する説明図である。
【図７】第３実施例の薬液注入ノズルの構成を説明する説明図である。
【図８】第１実施例の薬液注入ノズルが取付けられた薬液ビン内に入っている液体を容器に移し替える手順を説明する説明図である。
【符号の説明】
【００５１】
１，１ａ…注入ノズル、２…薬液ビン、３…口頸部、４，４ａ，４ｂ…保護キャップ、５，５ａ，５ｂ…筒状キャップ、６，２５ｂ…蓋板部、７，７ａ，７ｂ，２５ａ…筒状部、８，１１，１２…ネジ部、９…先端、１３…切欠き部、１５，１５ａ…突起、１６…孔、１７…外周部、１８…板パッキン、１９…嵌着部、２０，２０ａ…シール部、２１，２１ａ，２８，２９…シールリング、２２，２６…リング溝、２３，３１…先端、２４…堰、２７…麻酔液、３０，３０ａ…凹み溝、３２…気化器、３３…注入口、Ａ…薬液注入ノズル、Ｎ，Ｎａ…ノズル部、Ｔ…封止突起部
【図１】
2005137491.tif 000003
【図２】
2005137491.tif 000004
【図３】
2005137491.tif 000005
【図４】
2005137491.tif 000006
【図５】
2005137491.tif 000007
【図６】
2005137491.tif 000008
【図７】
2005137491.tif 000009
【図８】
2005137491.tif 000010